(57)【要約】【課題】受信信号と共にパルスノイズを受信した際、受信信号の品質を向上することが可能な受信機及びプログラムを提供すること。【解決手段】本開示に係る受信機１０は、受信信号を増幅する受信増幅部１１と、増幅後の受信信号の振幅を所定範囲内に収めるＡＧＣ動作の利得設定値を受信増幅部１１に設定する制御部１２と、利得設定値の変化を監視し、利得設定値の変化が所定の条件を満たすか否かに基づいて、受信信号にパルスノイズが含まれるか否かを判定する判定部１３と、を備え、制御部１２は、パルスノイズが含まれると判定された場合、パルスノイズの発生直前の利得設定値を前記パルスノイズ発生直後の利得設定値として受信増幅部１１に設定する。【選択図】図１
2019169860.tif 000002
【特許請求の範囲】
【請求項１】
受信信号を増幅する受信増幅部と、
増幅後の受信信号の振幅を所定範囲内に収めるＡＧＣ動作の利得設定値を前記受信増幅部に設定する制御部と、
前記利得設定値の変化を監視し、前記利得設定値の変化が所定の条件を満たすか否かに基づいて、前記受信信号にパルスノイズが含まれるか否かを判定する判定部と、
を備え、
前記制御部は、前記パルスノイズが含まれると判定された場合、前記パルスノイズの発生直前の利得設定値を前記パルスノイズ発生直後の利得設定値として前記受信増幅部に設定する、
受信機。
【請求項２】
前記制御部は、
増幅後の受信信号を整流する絶対値算出部と、
整流された信号を平滑して信号値とする積分処理部と、
前記信号値と所定の基準値との差分値を算出する差分算出部と、
前記差分値に基づき前記利得設定値を制御する、アタック制御部およびリリース制御部と、を有し、
前記判定部は、
前記信号値が前記所定の基準値を超えた期間における前記利得設定値の変化が、その変化に要する期間は所定期間閾値未満であり、且つ、変化量は所定変化量閾値を超える場合、パルスノイズが含まれると判定することを特徴とする、
請求項１に記載の受信機。
【請求項３】
前記受信機は、排他的に使用する複数のフィルタを備え、
前記判定部は、前記制御部が前記フィルタを通過した後の前記受信信号に対して前記利得設定値を設定する場合、前記フィルタの種類に基づいて前記所定期間閾値及び前記所定変化量閾値の少なくとも一方を変更する、
請求項２に記載の受信機。
【請求項４】
前記利得設定値を記憶する記憶部をさらに備え、
前記利得設定値は、ＡＧＣ動作の変化点で記憶することを特徴とする、
請求項１〜３の何れか１項に記載の受信機。
【請求項５】
受信増幅部が増幅した増幅後の受信信号の振幅を所定範囲内に収めるように利得設定値を前記受信増幅部に設定し、
前記利得設定値の変化が、その変化に要する期間は所定期間閾値未満であり、且つ、変化量は所定変化量閾値を超える場合、前記受信信号にパルスノイズが含まれると判定し、
前記パルスノイズが含まれると判定された場合、前記パルスノイズの発生直前の利得設定値を前記パルスノイズ発生直後の利得設定値として前記受信増幅部に設定する、
ことをコンピュータに実行させるプログラム。
【発明の詳細な説明】
【技術分野】
【０００１】
本発明は受信機及びプログラムに関し、特に受信信号と共にパルスノイズを受信した際、受信信号の了解度の低下を抑制することが可能な受信機及びプログラムに関する。
【背景技術】
【０００２】
受信信号をＩＦ(Intermediate Frequency)帯域の信号に変換し、変換後のＩＦ帯域のＩＦ信号を増幅する受信機が知られている。受信機は、増幅部でＩＦ信号を増幅し、増幅部は、その利得を自動で制御するＩＦ−ＡＧＣ(Automatic Gain Control)機能を有する。
【０００３】
特許文献１には、受信信号の時間経過に伴う電力推移を電力算出で求め、得られた受信電力値系列に対して移動平均区間毎の移動平均を移動平均電力算出で求めることが記載されている。また、特許文献１には、得られた移動平均電力値系列中のノイズ閾値よりも大なる区間をインパルスノイズ重畳区間としてインパルスノイズ検出で検出することが記載されている。また、特許文献１には、受信電力値系列中のインパルスノイズ重畳区間の電力値を一定の置換電力値に電力置換で置換したものを新たな受信電力値系列とする一連の処理を実行する、ことが記載されている。特許文献１には、ＩＦ−ＡＧＣ機能を有する受信機が受信信号と共にパルスノイズを受信した際に受信信号の了解度が低下しないようにする方法は、記載されていない。
【先行技術文献】
【特許文献】
【０００４】
【特許文献１】特開２０１２−１５６６８７号公報
【発明の概要】
【発明が解決しようとする課題】
【０００５】
ＩＦ−ＡＧＣ機能を有する受信機は、受信信号と共に、例えば、電燈のスイッチング動作に伴って発生するパルスノイズを受信する場合がある。このような場合、ＩＦ−ＡＧＣ機能を有する受信機は、受信信号の振幅よりも大きな振幅を有するパルスノイズに合わせて利得を制御する。これにより、パルスノイズの振幅よりも小さな振幅の受信信号は、その振幅が低下するため、了解度が低下し、若しくは音声が聞こえなくなる。このように、ＩＦ−ＡＧＣ機能を有する受信機が受信信号と共にパルスノイズを受信した際、受信信号の品質が低下するという問題があった。
本発明は、受信信号と共にパルスノイズを受信した際、受信信号の品質を向上することが可能な受信機及びプログラムを提供することを課題とする。
【課題を解決するための手段】
【０００６】
そこで、本開示は、
受信信号を増幅する受信増幅部と、
増幅後の受信信号の振幅を所定範囲内に収めるＡＧＣ動作の利得設定値を前記受信増幅部に設定する制御部と、
前記利得設定値の変化を監視し、前記利得設定値の変化が所定の条件を満たすか否かに基づいて、前記受信信号にパルスノイズが含まれるか否かを判定する判定部と、
を備え、
前記制御部は、前記パルスノイズが含まれると判定された場合、前記パルスノイズの発生直前の利得設定値を前記パルスノイズ発生直後の利得設定値として前記受信増幅部に設定する、
受信機を提供する。
【０００７】
また、本開示は、
受信増幅部が増幅した増幅後の受信信号の振幅を所定範囲内に収めるように利得設定値を前記受信増幅部に設定し、
前記利得設定値の変化が、その変化に要する期間は所定期間閾値未満であり、且つ、変化量は所定変化量閾値を超える場合、前記受信信号にパルスノイズが含まれると判定し、
前記パルスノイズが含まれると判定された場合、前記パルスノイズの発生直前の利得設定値を前記パルスノイズ発生直後の利得設定値として前記受信増幅部に設定する、
ことをコンピュータに実行させるプログラムを提供する。
【発明の効果】
【０００８】
本発明によれば、受信信号と共にパルスノイズを受信した際、受信信号の品質を向上することが可能な受信機及びプログラムを提供することができる。
【図面の簡単な説明】
【０００９】
【図１】実施の形態に係る受信機を例示するブロック図である。
【図２】実施の形態に係る受信機を例示するブロック図である。
【図３】実施の形態に係る受信機の動作を例示するフローチャートである。
【図４Ａ】受信増幅部に入力するＩＦ信号を例示するグラフである。
【図４Ｂ】受信増幅部に設定するＡＧＣ電圧を例示するグラフである。
【図４Ｃ】受信増幅部から出力するＩＦ信号を例示するグラフである。
【図５Ａ】受信増幅部に入力するＩＦ信号を例示するグラフである。
【図５Ｂ】受信増幅部に設定するＡＧＣ電圧を例示するグラフである。
【図５Ｃ】受信増幅部から出力するＩＦ信号を例示するグラフである。
【図６】実施の形態に係る受信機を例示するブロック図である。
【発明を実施するための形態】
【００１０】
［実施の形態］
以下、図面を参照して本発明の実施の形態について説明する。
【００１１】
先ず、実施の形態に係る受信機の概要を説明する。
図１は、実施の形態に係る受信機を例示するブロック図である。
【００１２】
図１に示すように、実施の形態に係る受信機１０は、受信増幅部１１と、制御部１２と、判定部１３と、を備える。
【００１３】
受信増幅部１１は、受信信号を増幅する。
【００１４】
制御部１２は、増幅後の受信信号の振幅を所定範囲内に収めるように利得設定値を受信増幅部１１に設定する。受信増幅部１１は、利得設定値に基づいて受信信号を増幅する。
【００１５】
判定部１３は、利得制御値の変化が所定変化量閾値を超えた期間が所定期間閾値未満である場合、受信信号にパルスノイズが含まれると判定する。
【００１６】
制御部１２は、受信信号にパルスノイズが含まれると判定された場合、パルスノイズの発生直前の利得設定値を、パルスノイズ発生直後の利得設定値として受信増幅部１１に設定する。
【００１７】
受信増幅部１１が増幅した後の受信信号の振幅を所定範囲内に収めるように利得設定値を受信増幅部１１に設定する機能を、ＡＧＣ機能と称する。ＩＦ帯域のＩＦ信号に対するＡＧＣを、ＩＦ−ＡＧＣと称する。受信機１０は、このＩＦ−ＡＧＣ機能を有する。
【００１８】
ここで、ＩＦ−ＡＧＣ機能を説明する。
【００１９】
ＩＦ−ＡＧＣ機能は、受信増幅部が増幅した後の信号の振幅を、所定範囲内に収めるため、受信増幅部に設定するＡＧＣ電圧を制御する。ＡＧＣ電圧を上げると受信増幅部の利得が増加し、受信増幅部から出力される出力信号の振幅が大きくなる。ＡＧＣ電圧を下げると受信増幅部の利得が低下し、受信増幅部から出力される出力信号の振幅が小さくなる。
【００２０】
ＩＦ−ＡＧＣ機能は、出力信号の一部を、整流、平滑し、出力信号の振幅に応じた信号値（例えば直流電位）とする。信号値と、所定の基準値とを比較し、所定の基準値（リファレンスレベル）を超えた場合に、受信増幅部の利得を下げ、出力信号の振幅が所定範囲内に収めるよう制御する。
【００２１】
ここで、受信機１０が、パルスノイズを受信した場合のＩＦ−ＡＧＣ機能を説明する。
【００２２】
パルスノイズは、数ミリ秒程度までの短い期間において大きな振幅を有するノイズ信号である。ＩＦ−ＡＧＣ機能を有する受信機は、このパルスノイズが入力した場合、リファレンスレベル以上の振幅を有するパルスノイズを所定範囲内に収めるために、ＡＧＣ電圧を下げて受信増幅部の利得を下げる動作を行う。この動作をアタック動作と称する。アタック動作では、パルスノイズの振幅を所定範囲内に収めるために、例えば、２ミリ秒程度の時間を掛けてＡＧＣ電圧を低下させて受信増幅部の利得を下げる。
【００２３】
一方、パルスノイズが過ぎ去った後は、パルスノイズが無くなるので、受信増幅部に入力する信号の振幅は下がる。このため、受信機は、下がっていた利得を回復させる（上昇させる）ために、ＡＧＣ電圧を上げて受信増幅部の利得を上げる動作を行う。この動作をリリース動作と称する。リリース動作では、例えば、１００ミリ秒から１０秒程度の時間を掛けてＡＧＣ電圧を上げて受信増幅部の利得を回復させる。
【００２４】
また、受信機が受信信号と共にパルスノイズを受信した場合（受信信号にパルスノイズが含まれる場合）、パルスノイズが受信機に入力される毎に、アタック動作により受信増幅部の利得が下がる。このため、目的とする受信信号の振幅が小さくなり、その了解度が低下し、若しくは音声が聞こえなくなる。
【００２５】
そこで、実施の形態に係る受信機１０は、受信信号にパルスノイズが含まれると判定された場合、パルスノイズの発生直前の利得設定値を、パルスノイズ発生直後の利得設定値として受信増幅部１１に設定する。これにより、アタック動作に伴う受信増幅部１１の利得の低下を緩和することができる。
【００２６】
次に、実施の形態に係る受信機の詳細を説明する。
図２は、実施の形態に係る受信機を例示するブロック図である。
図２では、受信信号がＩＦ帯域のＩＦ信号に変換され、ＩＦ信号が受信増幅部１１で増幅され、該増幅されたＩＦ信号に対してＩＦ−ＡＧＣが行われることを例に挙げて説明する。実施の形態は、これには限定されない。受信信号が増幅され、該増幅された受信信号に対してＡＧＣが行われてもよい。
【００２７】
図２に示すように、受信機１０の制御部１２は、絶対値算出部１２１と、積分処理部１２２と、差分算出部１２３と、基準値生成部１２４と、リリース制御部１２７と、アタック制御部１２６と、切替部１２５と、電圧利得変換部１２８とを有する。判定部１３は、パルスノイズ判定部１３１を有する。
【００２８】
受信機１０は受信信号を受信し、受信された受信信号はＩＦ帯域のＩＦ信号に変換される。受信増幅部１１は、変換された後のＩＦ信号を増幅する。絶対値算出部１２１は、例えば、整流回路を使用してＩＦ信号の振幅を絶対値にする。積分処理部１２２は、ＩＦ信号の振幅の絶対値を積分（平滑）し、ＩＦ信号の振幅に応じた信号値を差分算出部１２３とアタック制御部１２６とに出力する。差分算出部１２３は、信号値と、基準値生成部１２４が生成した基準値と、の差分を算出する。基準値をリファレンスレベルと称することもある。
【００２９】
切替部１２５は、該差分がゼロを超えた場合、すなわち、信号値が基準値を超えた場合、アタック制御部１２６によるアタック動作を選択するため、端子１と端子３とを接続する。これにより、ＡＧＣ電圧としてアタック制御部１２６の出力電圧が選択される。
【００３０】
また、切替部１２５は、該差分がゼロ以下の場合、すなわち、信号値が基準値以下の場合、リリース制御部１２７によるリリース動作を選択するため、端子１と端子２とを接続する。これにより、ＡＧＣ電圧としてリリース制御部１２７の出力電圧が選択される。ＡＧＣ電圧は、受信増幅部１１に設定する利得設定値に相当する。
【００３１】
判定部１３は、パルスノイズ判定部１３１を有する。パルスノイズ判定部１３１は、ＩＦ−ＡＧＣのＡＧＣ電圧の変化を監視し、所定条件の変化が起こったか否かを検出する。パルスノイズ判定部１３１は、ＡＧＣ電圧が所定の変化であることが検出された場合には、ＩＦ信号にパルスノイズが含まれると判定する。また、パルスノイズ判定部１３１は、ＡＧＣ電圧が所定の変化であることが検出されない場合には、ＩＦ信号にパルスノイズが含まれないと判定する。
【００３２】
具体的には、パルスノイズ判定部１３１は、下記の式（１）と式（２）とが満たされた場合、ＩＦ信号にパルスノイズが含まれると判定する。
【００３３】
【数１】
2019169860.tif 000003
ただし、Ｔｋはアタック期間であり、Ｔｋｔはアタック期間閾値である。
【００３４】
制御部１２は、信号値が基準値を超えた場合、ＩＦ信号の振幅を所定範囲内に収めるために、ＡＧＣ電圧を下げて受信増幅部１１の利得を下げるアタック動作を行う。信号値が基準値を超えた場合とは、信号値と、基準値と、の差分がゼロを越えた場合とも称される。アタック期間Ｔｋとは、信号値と、基準値と、の差分がゼロを越えた期間のことである。また、アタック期間Ｔｋとは、アタック制御部１２６がアタック動作を行った期間としてもよい。アタック制御部１２６は、アタック期間算出用カウンタ１２６１を有する。アタック期間算出用カウンタ１２６１は、アタック期間Ｔｋ中に１サンプル毎の処理でカウントすることで、アタック期間Ｔｋを測定する。
【００３５】
アタック期間閾値Ｔｋｔは、予め決められた値である。アタック期間閾値を所定期間閾値と称することもある。
【００３６】
【数２】
2019169860.tif 000004
ただし、Ｖｇは電圧変化総量であり、Ｖｇｔは電圧平均変動量閾値である。
【００３７】
電圧変化総量Ｖｇは、アタック期間ＴｋにおけるＡＧＣ電圧の変化量の総量である。電圧平均変動量閾値Ｖｇｔは、ＡＧＣ電圧の平均変動量の閾値である。（電圧変化総量Ｖｇ／アタック期間Ｔｋ）は、パルスノイズに対してアタック動作を行った場合におけるＡＧＣ電圧の単位時間当たりの平均変動量である。ＡＧＣ電圧の単位時間当たりの平均変動量を、ＡＧＣ電圧の変化量と称することもある。電圧平均変動量閾値を、所定変化量閾値と称することもある。
【００３８】
パルスノイズ判定部１３１は、アタック期間Ｔｋがアタック期間閾値Ｔｋｔ未満であり、且つ、アタック期間ＴｋにおけるＡＧＣ電圧の変化量の総量が電圧平均変動量閾値Ｖｇｔを超える場合、受信信号にパルスノイズが含まれると判定する。そして、制御部１２は、保持していたＡＧＣ電圧であってパルスノイズの発生直前のＡＧＣ電圧を受信増幅部１１にフィードバックし設定する。
【００３９】
このように、受信機１０の判定部１３は、パルスノイズによるＩＦ−ＡＧＣ機能の特徴的な動作に基づいて、アタック動作をしたアタック期間Ｔｋと、その際に制御したＡＧＣ電圧の値からパルスノイズが受信信号に含まれるか否かを判定する。
【００４０】
受信機１０は、ＩＦ信号を帯域制限するための帯域制限フィルタ（図示せず）を複数備えてもよい。帯域制限フィルタは、複数の帯域制限フィルタから排他的に選択されてもよく、受信機１０が受信する電波形式や帯域幅に応じて選択される。パルスノイズは、帯域制限フィルタを通過することで、その時間幅が帯域制限フィルタを通過しない場合と比べて長くなる。また、パルスノイズが所定の帯域幅よりも狭い帯域幅の帯域制限フィルタを通過した場合、その時間幅は、所定の帯域幅の帯域制限フィルタを通過した場合よりも長くなる。すなわち、帯域制限フィルタの帯域幅が狭い程、該帯域制限フィルタを通過したパルスノイズの時間幅は長くなる。
【００４１】
このため、受信機１０は、使用する帯域制限フィルタの種類に基づいてアタック期間閾値Ｔｋｔを変更してもよい。また、受信機１０は、使用する帯域制限フィルタの帯域幅に基づいてアタック期間閾値Ｔｋｔを変更してもよい。
【００４２】
パルスノイズは、帯域制限フィルタを通過することで、その振幅が帯域制限フィルタを通過しない場合と比べて小さくなる。また、パルスノイズが所定の帯域幅よりも狭い帯域幅の帯域制限フィルタを通過した場合、その振幅は、所定の帯域幅の帯域制限フィルタを通過した場合よりも小さくなる。すなわち、帯域制限フィルタの帯域幅が狭い程、該帯域制限フィルタを通過したパルスノイズの振幅は小さくなる。
【００４３】
このため、受信機１０は、使用する帯域制限フィルタの種類に基づいて電圧平均変動量閾値Ｖｇｔを変更してもよい。また、受信機１０は、使用する帯域制限フィルタの帯域幅に基づいて電圧平均変動量閾値Ｖｇｔを変更してもよい。
【００４４】
これまでの内容をまとめると以下のようになる。
ＩＦ−ＡＧＣ機能を有する受信機が受信信号と共にパルスノイズを受信した場合、パルスノイズが受信機に入力される毎に、アタック動作により受信増幅部の利得が下がる。このため、目的とする受信信号がその影響を受け了解度が低下し、若しくは音声が聞こえなくなる。また、この時、リリース動作により、例えば６０ｄＢの利得を回復させるには少なくとも１００ミリ秒程度に時間がかかるので、無音期間が発生し快適な受信をすることが難しい。
【００４５】
そこで、実施の形態に係る受信機１０の制御部１２は、判定部１３の判定結果により受信信号にパルスノイズが含まれると判定された場合、パルスノイズに対してアタック動作を開始する直前のＡＧＣ電圧を、パルスノイズの検出の直後に設定すべきＡＧＣ電圧として受信増幅部１１に設定する。これにより、受信増幅部１１の利得がアタック動作後のリリース動作期間中に抑圧されることを緩和し、音声の無音期間を低減することができる。
【００４６】
また、受信機１０は、図６に示すように、ＡＧＣ電圧（利得設定値）を記憶する記憶部１４をさらに備えてもよい。制御部１２は、記憶部１４からアタック動作を開始する直前のＡＧＣ電圧（過去利得設定値）を読み出し、過去利得設定値を受信増幅部１１に設定してもよい。また、ＡＧＣ電圧は、リリース動作からアタック動作へ遷移した際、又は、アタック動作からリリース動作に遷移した際に更新される。つまり、ＡＧＣ動作の変化点における利得設定値を記憶することができる。制御部１２は、パルスノイズが入力する直前のＡＧＣ電圧を保持することもできる。
【００４７】
制御部１２は、アタック制御部１２６、又は、リリース制御部１２７から出力されたＡＧＣ電圧を、受信増幅部１１の利得を利得制御信号に変換する電圧利得変換部１２８をさらに有してもよい。電圧利得変換部１２８は、変換後の利得制御信号を受信増幅部１１に出力する。受信増幅部１１は、利得制御信号を使用して利得を制御する。
【００４８】
次に、実施の形態に係る受信機の動作を説明する。
図３は、実施の形態に係る受信機の動作を例示するフローチャートである。
【００４９】
図３に示すように、電圧利得変換部１２８は、ＡＧＣ電圧を、受信増幅部１１の利得を設定するため利得制御信号に変換する（ステップＳ１０１）。電圧利得変換部１２８は、変換した利得制御信号を受信増幅部１１に出力する。
【００５０】
受信増幅部１１は、利得制御信号に基づいてＩＦ信号を増幅する（ステップＳ１０２）。
【００５１】
絶対値算出部１２１は、ＩＦ信号の振幅の絶対値を算出（整流）する（ステップＳ１０３）。
【００５２】
積分処理部１２２は、ＩＦ信号の振幅の絶対値を積分（平滑）して、信号値を出力する（ステップＳ１０４）。
【００５３】
差分算出部１２３は、信号値が基準値を超えたか否かを判定する（ステップＳ１０５）。
【００５４】
切替部１２５は、信号値が基準値を超えた場合（ステップＳ１０５：Ｙｅｓ）、アタック制御部１２６によるアタック動作を選択するために、端子１と端子３とを接続する。アタック制御部１２６は、アタック動作を行う（ステップＳ１０６）。ＡＧＣ電圧更新部１２６２は、アタック動作に従ってＡＧＣ電圧を更新する（ステップＳ１０６）。
【００５５】
アタック制御部１２６は、アタック期間Ｔｋ中、ＡＧＣ電圧値を累積加算し、アタック期間ＡＧＣ電圧変化総量を算出する（ステップＳ１０７）。
【００５６】
アタック制御部１２６は、アタック期間Ｔｋを求めるため、アタック期間算出用カウンタ１２６１をインクリメントする（ステップＳ１０８）
【００５７】
切替部１２５は、信号値が基準値以下の場合（ステップＳ１０５：Ｎｏ）、リリース制御部１２７によるリリース動作を選択するために、端子１と端子２とを接続する。リリース制御部１２７は、今回のリリース動作がアタック動作後の初のリリース動作か否かを確認する（ステップＳ１０９）。
【００５８】
リリース制御部１２７のＡＧＣ電圧更新部１２７２は、今回のリリース動作がアタック動作後の初のリリース動作でない場合（ステップＳ１０９：Ｎｏ）、リリース動作のＡＧＣ電圧を更新する（ステップＳ１１０）。
【００５９】
リリース制御部１２７は、リリース動作開始用に保持されていた保持ＡＧＣ電圧を、現在のＡＧＣ電圧で更新する（ステップＳ１１１）。
【００６０】
リリース制御部１２７のＡＧＣ電圧更新部１２７２は、今回のリリース動作がアタック動作後の初のリリース動作である場合（ステップＳ１０９：Ｙｅｓ）、ＩＦ信号にパルスノイズが含まれるか否かをパルスノイズ判定部１３１に判定するよう指示を行う（ステップＳ１１２）。
【００６１】
パルスノイズ判定部１３１は、ＩＦ信号にパルスノイズが含まれていると判定した場合（ステップＳ１１２：Ｙｅｓ）、現在のＡＧＣ電圧に、リリース動作開始用の保持ＡＧＣ電圧を設定する（ステップＳ１１３）。
【００６２】
アタック制御部１２６は、ステップＳ１１１の後、ステップＳ１１２がＮｏの場合、若しくは、ステップＳ１１３の後で、アタック期間算出用カウンタ１２６１をクリアする（ステップＳ１１４）。
【００６３】
アタック制御部１２６は、アタック期間ＡＧＣ電圧変化総量をクリアする（ステップＳ１１５）。
【００６４】
受信機１０は、ステップＳ１１５の後、ステップＳ１０１に戻る。
【００６５】
次に、実施の形態に係る受信機の効果を説明する。
【００６６】
図４Ａは、受信増幅部に入力するＩＦ信号を例示するグラフである。
図４Ａの横軸は時間を示し、縦軸は振幅を示す。図４Ａに示すＶｓは音声信号を示し、Ｐｎはパルスノイズを示す。
図４Ｂは、受信増幅部に設定するＡＧＣ電圧を例示するグラフである。
図４Ｂの横軸は時間を示し、縦軸は減衰量設定のための電圧値を示す。
図４Ｃは、受信増幅部から出力するＩＦ信号を例示するグラフである。
図４Ｃの横軸は時間を示し、縦軸は振幅を示す。
図４Ａ〜図４Ｃは、パルスノイズに対してのみＩＦ−ＡＧＣ機能が動作し、音声信号に対してはＩＦ−ＡＧＣ機能が動作しない信号レベルの場合のグラフである。
【００６７】
図４Ａに示すように、ＩＦ信号には、Ｖｓで示す音声信号に加えて、Ｐｎで示すパルスノイズが含まれる。
【００６８】
図４Ｂに示すように、受信増幅部１１に図４Ａに示すパルスノイズが入力した場合、アタック動作が開始される。ＡＧＣ電圧は、アタック動作に伴い電圧値が下がる。
【００６９】
図４Ｃに示すように、受信機１０は、ＩＦ信号にパルスノイズが含まれると判定された場合、パルスノイズの発生直前のＡＧＣ電圧を、パルスノイズ発生直後のＡＧＣ電圧として受信増幅部１１に設定する。これにより、パルスノイズに伴ってＩＦ出力信号が低くなる期間は短くなる。
【００７０】
図５Ａは、受信増幅部に入力するＩＦ信号を例示するグラフである。
図５Ａの横軸は時間を示し、縦軸は振幅を示す。図５Ａに示すＶｓは音声信号を示し、Ｐｎはパルスノイズを示す。
図５Ｂは、受信増幅部に設定するＡＧＣ電圧を例示するグラフである。
図５Ｂの横軸は時間を示し、縦軸は電圧値を示す。
図５Ｃは、受信増幅部から出力するＩＦ信号を例示するグラフである。
図５Ｃの横軸は時間を示し、縦軸は振幅を示す。
図５Ａ〜図５Ｃは、信号の信号レベルでＩＦ−ＡＧＣ機能が動作している場合のグラフである。
【００７１】
図５Ａに示すように、ＩＦ信号には、Ｖｓで示す音声信号に加えて、Ｐｎで示すパルスノイズが含まれる。
【００７２】
図５Ｂに示すように、受信増幅部１１に図５Ａに示すパルスノイズが入力した場合、アタック動作が開始される。ＡＧＣ電圧は、アタック動作に伴い電圧値が下がる。音声信号にもＩＦ−ＡＧＣ機能が動作するので、音声信号が大きい場合にはＡＧＣ電圧値が低く、音声信号が小さい場合にはＡＧＣ電圧値が高くなる。
【００７３】
図５Ｃに示すように、受信機１０は、ＩＦ信号にパルスノイズが含まれると判定された場合、パルスノイズの発生直前のＡＧＣ電圧を、パルスノイズ発生直後のＡＧＣ電圧として受信増幅部１１に設定する。これにより、パルスノイズに伴ってＩＦ出力信号が低くなる期間は短くなる。
【００７４】
このように、実施の形態に係る受信機１０においては、高速な応答特性の利点を維持しつつ、パルスノイズに対する抑圧の不具合を解消でき、快適な目的信号の受信を行うことができる。
【００７５】
実施の形態に係る受信機１０は、ＩＦ−ＡＧＣ機能にパルスノイズを判定する機能と、パルスノイズによって低下した受信増幅部１１の利得を回復する機能と、を有する。これにより、受信信号の了解度の低下を抑制することができる。
【００７６】
その結果、実施の形態においては、受信信号と共にパルスノイズを受信した際、受信信号の了解度の低下を抑制することが可能な受信機及びプログラムを提供することができる。
【００７７】
尚、実施の形態では、受信増幅部１１の利得を制御するものとしてＡＧＣ電圧を使用する場合を例に挙げて説明したが、これには限定されない。
【００７８】
なお、本発明は上記実施の形態に限られたものではなく、趣旨を逸脱しない範囲で適宜変更することが可能である。
【符号の説明】
【００７９】
１、２、３…端子
１０…受信機
１１…受信増幅部
１２…制御部
１２１…絶対値算出部
１２２…積分処理部
１２３…差分算出部
１２４…基準値生成部
１２５…切替部
１２６…アタック制御部
１２６１…アタック期間算出用カウンタ
１２６２…ＡＧＣ電圧更新部
１２７…リリース制御部
１２７２…ＡＧＣ電圧更新部
１２８…電圧利得変換部
１３…判定部
１３１…パルスノイズ判定部
１４…記憶部
Ｔｋ…アタック期間
Ｔｋｔ…アタック期間閾値
Ｖｇ…電圧変化総量
Ｖｇｔ…電圧平均変動量閾値
【図１】
2019169860.tif 000005
【図２】
2019169860.tif 000006
【図３】
2019169860.tif 000007
【図４Ａ】
2019169860.tif 000008
【図４Ｂ】
2019169860.tif 000009
【図４Ｃ】
2019169860.tif 000010
【図５Ａ】
2019169860.tif 000011
【図５Ｂ】
2019169860.tif 000012
【図５Ｃ】
2019169860.tif 000013
【図６】
2019169860.tif 000014